(57)【要約】      （修正有）【課題】照明装置の光伝達構造と把手構造とを分離させ、光伝達構造を交換することができ、光伝達構造は術者により照射角度や方向を調節することができる分離型照明装置を提供する。【解決手段】光伝達構造１０、及び、これに接合される把手構造２０を備え、光伝達構造１０は、光伝達体１、保護体２および嵌合体３を有し、光伝達体１は、線状の透明である光ファイバーおよび被覆体１２からなり、保護体２は、光伝達体１の一方の端部に挿入され、把手構造は、筒体４、光源モジュール５および回転接合部６を備え、光源モジュール５は、筒体４の前方の端部に配置され、回転接合部６と筒体４の前方の端部とが接合されると、光源モジュール５は回転接合部６と筒体４の前方の端部との間に配置される。光伝達体１の嵌合体３を回転接合部６に挿入する。光源モジュール５が点灯されると光伝達体１を介して伝達され、保護体２により集光された後に照射される。【選択図】図３
0003139212.tif 000002
【実用新案登録請求の範囲】
【請求項１】
光伝達体および保護体を備える手持式分離型医療用照明装置の光伝達構造であって、
前記光伝達体は光ファイバー、および前記光ファイバーの表面を覆う被覆体からなり、前記光伝達体は第１の端部および第２の端部を有し、
前記保護体は前記光伝達体の前記第１の端部に接合することを特徴とする手持式分離型医療用照明装置の光伝達構造。
【請求項２】
前記光ファイバーは線状の透明体であることを特徴とする請求項１に記載の手持式分離型医療用照明装置の光伝達構造。
【請求項３】
前記被覆体は折曲自在な金属材料であることを特徴とする請求項１に記載の手持式分離型医療用照明装置の光伝達構造。
【請求項４】
前記保護体は透明な材料からなり、本体を有し、前記本体は前方の端部にアーチ面を有し、後方の端部に嵌合孔を有することを特徴とする請求項１に記載の手持式分離型医療用照明装置の光伝達構造。
【請求項５】
前記保護体は前記本体が円錐状を呈することを特徴とする請求項４に記載の手持式分離型医療用照明装置の光伝達構造。
【請求項６】
内部に穿孔を有し、外部の表面に凸環を有し、前記光伝達体の前記第２の端部に嵌合する嵌合体をさらに備えることを特徴とする請求項１に記載の手持式分離型医療用照明装置の光伝達構造。
【請求項７】
筒体、光源モジュールおよび回転接合部を備える分離型医療用照明装置の把手構造であって、
前記筒体は前方の端部に開口部を有し、内部に収納空間を有し、
前記光源モジュールは前記筒体の前方の端部の開口部に配置され、座体、および前記座体上に配置される発光ユニットを有し、
前記回転接合部は前記筒体の開口部と接合し、前記筒体の開口部と前記回転接合部の内部との間に前記光源モジュールを組み込むことを特徴とする分離型医療用照明装置の把手構造。
【請求項８】
前記収納空間は内部に電力を伝達する導線を有することを特徴とする請求項７に記載の分離型医療用照明装置の把手構造。
【請求項９】
前記筒体は前方の端部の開口部の外縁に螺旋紋を有することを特徴とする請求項７に記載の分離型医療用照明装置の把手構造。
【請求項１０】
前記発光ユニットは発光ダイオードを有することを特徴とする請求項７に記載の分離型医療用照明装置の把手構造。
【請求項１１】
前記座体は前記発光ダイオードと電気的に接続する第１の電極および第２の電極を配置することを特徴とする請求項７に記載の分離型医療用照明装置の把手構造。
【請求項１２】
前記回転接合部は光伝達構造を嵌合する接合口を有し、前記接合口の一方の端部には管体が延伸し、前記管体の一方の端部には光源収納体が延伸し、前記光源収納体の内部と前記管体とは繋がり、前記光源収納体の内壁面は螺旋紋を有することを特徴とする請求項７に記載の分離型医療用照明装置の把手構造。
【請求項１３】
前記筒体または前記回転接合部にはスイッチを配置することができ、前記スイッチは前記発光ダイオードと電池との間に電気的に接続されることを特徴とする請求項７に記載の分離型医療用照明装置の把手構造。
【考案の詳細な説明】
【技術分野】
【０００１】
本考案は、医療用照明装置に関し、特に、光伝達構造と把手構造を分離させた手持式の分離型医療用照明装置に関する。
【背景技術】
【０００２】
医療機器は、ＭＥＭＳ技術、通信技術、材料技術、バイオテクノロジーなどの先端技術を結合させ、独自の産業に融合させなければならない。そのため、それぞれの技術またはテクノロジーの発展は、医療機器産業の発展を導き、良質の医療機器は、医療の質を向上させる。
【０００３】
従来の医療において使用される照明は、手術用照明装置のように天井または壁に備え付けられるか、術者が頭部に装着したりするものであった。術者が患者に医療行為を行なう際、照明は患者の患部を照らし、術者に患部をはっきり見せるものである。また、上記の二種類以外に、術者が手に持つことができる照明もある。上記の二種類の照明が患部を照らすことができない場合、この照明は、体積が小さいため、患部を照らすことができる。
【０００４】
図１は、従来の手持式照明装置を示す斜視図である。図１に示すように、従来の手持式照明装置は、把手１０を備える。把手１０は、内部に電池４２が装着され、先端に接合される。管体３０の先端の内部には光源４０が配置され、光源４０は伝達導線５０とスイッチ６０と電池４２と電気的に接続される。術者が使用時に、スイッチ６０を押すだけで、電池４２が伝達導線５０を介して電力を光源４０に提供し光源４０を発光させ、術者に患者の患部をはっきり見せることができる。
【０００５】
従来の手持式照明装置は、管体３０が硬い金属材料のため、術者が照射角度や方向を調節するのが困難で、照射した光線が筋肉組織に遮断されると、患部の角が見え難くなり、術者に不便を感じさせていた。また、光源４０は、管体３０内部に固着され一体となっているため、光源４０が破損した場合、管体３０を直接交換することができなく、手持式照明装置それ自体を廃棄しなければならず、資源の浪費が問題となっていた。
【特許文献１】実開平７−１９９０１号公報
【特許文献２】特開２００３−３３９７３８号公報
【考案の開示】
【考案が解決しようとする課題】
【０００６】
本考案の目的は、照明装置の光伝達構造と把手構造とを分離させ、光伝達構造を交換することができ、光伝達構造と把手構造とを分離させると、収納に便利であり、光伝達構造は術者により照射角度や方向を調節することができ、術者に患部の隅々をはっきり見せることができる分離型照明装置を提供することにある。
【課題を解決するための手段】
【０００７】
上述の目的を達成するため、本考案は分離型照明装置を提供する。本考案の分離型照明装置は、光伝達構造、および光伝達構造に接合される把手構造を備える。光伝達構造は、光伝達体、保護体および嵌合体を備える。光伝達体は、線状の透明である光ファイバーおよび被覆体からなる。保護体は、円錐状の本体を有する。本体は、前方の端部にアーチ面を有し、後方の端部に嵌合孔を有する。嵌合孔は、光伝達体の第１の端部に嵌合する。嵌合体は、内部に光伝達体の第２の端部に挿入する穿孔を有する。把手構造は、筒体、光源モジュールおよび回転接合部を備える。筒体は、内部に導線を収納する収納空間を有する。筒体は、前方の端部の開口部の外縁に、回転接合部に接合する螺旋紋を有する。光源モジュールは、筒体の前方の端部の開口部に配置され、座体、および座体上に配置される発光ユニットを有する。発光ユニットは、発光ダイオードを有する。座体上には、発光ダイオードと電気的に接続する第１の電極および第２の電極が配置される。回転接合部は、光伝達構造の嵌合体を挿入する接合口を有し、接合口の一方の端部には管体が延伸し、管体の一方の端部には光源収納体が延伸し、光源収納体の内部と管体とは繋がる。光源収納体の内壁面は螺旋紋を有し、螺旋紋が筒体の前方の端部の螺旋紋と回転接合する際、筒体の前方の端部の開口部と光源収納体の内部との間に光源モジュールを組み込み、発光ダイオードを管体に対応させる。
【考案の効果】
【０００８】
本考案の分離型医療用照明装置は、光伝達構造と把手構造とを分離させることができ、故障が生じた場合、故障個所のみの交換で、照明装置それ自体を廃棄する必要がなくなり、資源を浪費させることがない。また、光伝達構造と把手構造とを分離させると、収納に便利である。次に、光伝達構造の光伝達体は、線状で透明な光ファイバーであるため、術者が照射角度や方向を調節して、患部の隅々をはっきり見ることができる。
【考案を実施するための最良の形態】
【０００９】
以下、本考案の実施形態を図面に基づいて説明する。図２は、本考案の実施形態による光伝達構造を示す斜視図である。図２に示すように、本考案の光伝達構造１０は、光伝達体１、光伝達体１の一方の端部に接続される保護体２、および光伝達体１のもう一方の端部に接続される嵌合体３を備える。光伝達体１は、線状の透明である光ファイバー１１、および光ファイバー１１の表面を覆う被覆体１２からなり、光伝達体１は第１の端部１３および第２の端部１４を有する。光伝達体１は、第２の端部１４から第１の端部１３に光を伝達して、照明として使用することができる。被覆体１２は、光が伝達される際に、発生する漏光を防止する。被覆体１２は、折曲自在な金属材料からなり、光ファイバー１１上を覆って、照射の方向を調節する。
【００１０】
保護体２は、透明な材料からなり、円錐状の本体２１を有する。本体２１は、前方の端部にアーチ面２２を有し、後方の端部に嵌合孔２３を有する。嵌合孔２３は、光伝達体１の第１の端部１３に嵌合し、保護体２が第１の端部１３の鋭角が患者の患部を傷つけてしまうのを防止する。また、保護体２は、光伝達体１が伝達する光線の集光または散光を行ない、照射すべきところに照射する。
【００１１】
嵌合体３は、内部に光伝達体１の第２の端部１４に挿入する穿孔３１を有する。嵌合体３は、嵌合体３に嵌合して把手構造（図示せず）に接合する凸環３２を有する。凸環３２は、把手構造の回転接合部の前方の端部に接合する。
【００１２】
図３は、本考案の実施形態による分離型医療照明を示す分解斜視図である。図４は、本考案の実施形態による分離型医療照明を異なる角度から示す分解斜視図である。図５は、本考案の実施形態による分離型医療照明を示す斜視図である。図３〜５に示すように、本考案の分離型医療照明は、光伝達構造１０、および光伝達構造１０に接合する把手構造２０を備える。光伝達構造１０は、上述したとおりであり、把手構造２０は、筒体４、光源モジュール５および回転接合部６からなる。
【００１３】
筒体４は、内部に電池４２および導線４３を収納する収納空間４１を有する。筒体４は、前方の端部の開口部の外縁に、回転接合部６に接合する螺旋紋４４を有する。
【００１４】
光源モジュール５は、筒体４の前方の端部の開口部に配置され、座体５１、および座体５１上に配置される発光ユニット５２を有する。発光ユニット５２は、発光ダイオード５２１を有する。座体５１上には、発光ダイオード５２１と電気的に接続する第１の電極５１１および第２の電極５１２が配置される。
【００１５】
回転接合部６は、光伝達構造１０の嵌合体３を挿入する接合口６１を有し、接合口６１の一方の端部には管体６２が延伸し、管体６２の一方の端部には光源収納体６３が延伸し、光源収納体６３の内部と管体６２とは繋がる。光源収納体６３の内壁面は螺旋紋６３１を有し、螺旋紋６３１が筒体４の前方の端部の螺旋紋４４と回転接合する際、筒体４の前方の端部の開口部と光源収納体６３の内部との間に光源モジュール５を組み込み、発光ダイオード５２１を管体６２に対応させる。光伝達構造１０と把手構造２０とを接合する際、光伝達構造１０の嵌合体３の末端を回転接合部６の接合口６１内に嵌合する。この時、嵌合体３の凸環３２は接合口６１の開口部の先端に接合する。
【００１６】
図６は、本考案の実施形態による分離型医療照明を示す断面図である。図７は、本考案の実施形態による光伝達構造を示す断面図である。図６および図７に示すように、回転接合部６または筒体４を回転させることにより光源モジュール５を移動させる。光源モジュール５の座体５１の底部の第１の電極５１１は、電池４２の負極（または正極）と接触し、第２の電極５１２は、導線４３と接触し、導線４３のもう一つの端部は電池４２の正極（または負極）と接触することにより、電池４２の電力が発光ユニット５２に伝達され、発光ダイオード５２１を発光させる。光線７は、回転接合部６の管体６２を通過して、光伝達体１の光ファイバー１１介して伝達される。光線７が保護体２に伝達される際、保護体２は光線７の集光または散光を行ない、照射すべきところに照射し、医療行為中に光伝達体１の第１の端部１３の鋭角が患者の患部を傷つけてしまうのを防止する。
【００１７】
光ファイバー１１の表面が被覆体１２に覆われるため、光ファイバー１１上で光線７が伝達される時には、光ファイバー１１により伝達される光線７の漏光が防止され、光線７が効果的に保護体２に伝達される。
【００１８】
図８は、本考案の実施形態による分離型医療照明の使用例を示す斜視図である。図８に示すように、光伝達構造１０と把手構造２０とが接合された後、術者が使用時において、手で直接筒体４を持つことができる。使用中に、保護体２が照射した光線が患者の身体のある部分を照射できない場合、折曲自在な金属の被覆体１２により照射角度を調節することができ、照射すべきところ照らすことができる。
【００１９】
図９は、本考案の実施形態による分離型医療照明を示す斜視図である。図８に示すように、筒体４または回転接合部６にスイッチ８を配置することができる。スイッチ８は、発光ダイオード５２１と電池４２との間に電気的に接続し、術者がスイッチ８を押すだけで、電池４２の電力を発光ダイオード５２１に伝達でき、発光ダイオード５２１を発光させることができる。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００２１】
【図１】従来の手持式照明装置を示す斜視図である。
【図２】本考案の実施形態による光伝達構造を示す斜視図である。
【図３】本考案の実施形態による分離型医療用照明装置を示す分解斜視図である。
【図４】本考案の実施形態による分離型医療用照明装置を異なる角度から示す分解斜視図である。
【図５】本考案の実施形態による分離型医療用照明装置を示す斜視図である。
【図６】本考案の実施形態による分離型医療用照明装置を示す断面図である。
【図７】本考案の実施形態による光伝達構造を示す断面図である。
【図８】本考案の実施形態による分離型医療用照明装置の使用例を示す斜視図である。
【図９】本考案の実施形態による分離型医療用照明装置を示す斜視図である。
【符号の説明】
【００２２】
１  光伝達体
２  保護体
３  嵌合体
４  筒体
５  光源モジュール
６  回転接合部
７  光線
８  スイッチ
１０  光伝達構造
１１  光ファイバー
１２  被覆体
１３  第１の端部
１４  第２の端部
２０  把手構造
２１  本体
２２  アーチ面
２３  嵌合孔
３１  穿孔
３２  凸環
４１  収納空間
４２  電池
４３  導線
４４  螺旋紋
５１  座体
５２  発光ユニット
５１１  第１の電極
５１２  第２の電極
５２１  発光ダイオード
６１  接合口
６２  管体
６３  光源収納体
６３１  螺旋紋
【図１】
0003139212.tif 000003
【図２】
0003139212.tif 000004
【図３】
0003139212.tif 000005
【図４】
0003139212.tif 000006
【図５】
0003139212.tif 000007
【図６】
0003139212.tif 000008
【図７】
0003139212.tif 000009
【図８】
0003139212.tif 000010
【図９】
0003139212.tif 000011
【手続補正書】
【提出日】平成19年11月12日(2007.11.12)
【手続補正１】
【補正対象書類名】実用新案登録請求の範囲
【補正対象項目名】全文
【補正方法】変更
【補正の内容】
【実用新案登録請求の範囲】
【請求項１】
筒体、光源モジュールおよび回転接合部を備える分離型医療用照明装置の把手構造であって、
前記筒体は前方の端部に開口部を有し、内部に収納空間を有し、
前記光源モジュールは前記筒体の前方の端部の開口部に配置され、座体、および前記座体上に配置される発光ユニットを有し、
前記回転接合部は前記筒体の開口部と接合し、前記筒体の開口部と前記回転接合部の内部との間に前記光源モジュールを組み込むことを特徴とする分離型医療用照明装置の把手構造。
【請求項２】
前記収納空間は内部に電力を伝達する導線を有することを特徴とする請求項１に記載の分離型医療用照明装置の把手構造。
【請求項３】
前記筒体は前方の端部の開口部の外縁に螺旋紋を有することを特徴とする請求項１に記載の分離型医療用照明装置の把手構造。
【請求項４】
前記発光ユニットは発光ダイオードを有することを特徴とする請求項１に記載の分離型医療用照明装置の把手構造。
【請求項５】
前記座体は前記発光ダイオードと電気的に接続する第１の電極および第２の電極を配置することを特徴とする請求項１に記載の分離型医療用照明装置の把手構造。
【請求項６】
前記回転接合部は光伝達構造を嵌合する接合口を有し、前記接合口の一方の端部には管体が延伸し、前記管体の一方の端部には光源収納体が延伸し、前記光源収納体の内部と前記管体とは繋がり、前記光源収納体の内壁面は螺旋紋を有することを特徴とする請求項１に記載の分離型医療用照明装置の把手構造。
【請求項７】
前記筒体または前記回転接合部にはスイッチを配置することができ、前記スイッチは前記発光ダイオードと電池との間に電気的に接続されることを特徴とする請求項１に記載の分離型医療用照明装置の把手構造。